(57)【要約】【課題】カードが薄く撓み可能な軟質性を有したものであっても、カードの表面や裏面に非接触ＩＣモジュールによる凹凸がなく、情報を可視画像として確実に表示可能であって、カードの表面に施した模様やデザインが目立ちかつ破損しにくい磁気表示部を有した非接触ＩＣカードを提供する。【解決手段】ベースシート上に、一部に貫通孔を有した中間シートを配設し、その貫通孔で構成される表示セルに磁性粒子を封入して、磁気作用により磁性粒子を配列させて情報を可視画像として表示する磁気表示部を設ける。該磁気表示部は、カードの一方の短辺側の近傍に短辺に沿って設ける。非接触ＩＣモジュールは、中間シートを２枚の樹脂シート部材で構成し、ホットメルト接着剤を設けた前記樹脂シート部材で挟み込み、両樹脂シート部材を固着することにより前記非接触ＩＣモジュールを中間シートの厚み方向の中部に配設する。 【選択図】図１
2005071168.tif 000002
【特許請求の範囲】
【請求項１】
ベースシート上に、貫通孔を有した中間シートを介して、少なくとも前記貫通孔に対向した部分が透明である表示シートを一体に固着し、前記ベースシートと表示シートと中間シートの貫通孔で形成された表示セルに移動可能に封入した磁性粒子を磁気作用により配列させて情報を可視画像として表示する磁気表示部を有した、非接触ＩＣモジュールを備えた非接触ＩＣカードであって、中間シートを２枚の樹脂シート部材で構成し、非接触ＩＣモジュールをホットメルト接着剤層を設けた前記２枚の樹脂シート部材で挟み込んで固着し、非接触ＩＣモジュールを中間シートの厚み方向の中部に配設するとともに、磁気表示部をカードの一方の短辺側の近傍に短辺に沿って設けたことを特徴とする、磁気表示部を有した非接触ＩＣカード。
【発明の詳細な説明】
【技術分野】
【０００１】
本発明は、情報を目視可能に記録及び消去ができる磁気表示部を有した非接触ＩＣカードに関する。
【背景技術】
【０００２】
従来、情報を磁気情報として記録・再生・消去できる磁気記録層を有したキャッシュカードやプリペイドカード等の磁気カード等において、磁気カードの磁気記録情報を目視確認できるように文字化若しくは数字化等したものを可視画像として表示可能で、かつ書き消しが自在な可視磁気カードが提案されており、本願出願人においても、「磁気記録層と光反射性ベースシートからなる磁気記録シートと少なくとも表示部が透明な表示シートとを対向してこの二枚のシート間に表示セルを形成し、この表示セルに磁性粒子と透明ないし白色の微粉末流動化剤との混合物を封入してなる可視磁気カード」なる技術を、特開昭６１−２７３７８６号公報により開示している。また実際に、ゲーム機等におけるプリペイドカードとして使用されている。
【０００３】
また近年、データの記録及び情報を非接触で行う事が可能な情報記録媒体を備えた、いわゆる非接触ＩＣカードについても知られており、さらには、ＩＣチップのメモリーに記憶された情報等を目視確認できるように表示でき、かつ書き消しが自在な磁気表示部を有したものが、特開平７−１７２０８４号公報公報により提案されている。
【０００４】
ところで、非接触ＩＣカードにおいては、当然ながらＩＣチップやアンテナ等からなる非接触ＩＣモジュールを配設するが、該ＩＣモジュールは損傷しないようにカードの内側に配設してある。一般的にこうしたカードは、カード基体がベースシート、中間シート及び表示シートからなり、非接触ＩＣモジュールを中間シートの表示シート側の表面に配設して、ベースシート、中間シート及び表示シートを接着剤や超音波溶着等により一体に固着して製造してある。カードが従来のキャッシングカードやプリペイドカードのように厚みを有した硬質性の場合には問題とならないが、多方面への使用の展開が模索されている中、撓み可能な軟質性の非接触ＩＣカードが要求されてきている。
【０００５】
こうした軟質性の非接触ＩＣカードは、厚みが０．６ｍｍ位の軟質性材料で構成されるために、従来のように非接触ＩＣモジュールを中間シートの表示シート側の表面に配設した場合には、表示シートが凹凸状になってしまいカードを把持した際に、ゴツゴツ感が生じるという問題が発生する。
【０００６】
前述した特開平７−１７２０８４号公報には、「ＡＢＳ樹脂で凹部を有した樹脂板（表）及び樹脂板（裏）を形成し、該凹部に非接触ＩＣモジュールを装着組み合わせて樹脂板（表）と樹脂板（裏）を固着し、磁気表示部用の窓を打ち抜き加工したスペーサーシートを樹脂板（表）の上に固着し、前記磁気表示部用の窓に磁気表示部を固着してなる非接触ＩＣカード」の技術が開示されており、非接触ＩＣモジュールを樹脂板（表）と樹脂板（裏）に設けた凹部に装着することが記載されている。こうした構造では、樹脂板（表）と樹脂板（裏）は厚さが厚ければ非接触ＩＣモジュールは凹部に装着され、スペーサーシート（本願で言う表示シート）の表面が凹凸状になってしまうことはないが、当然、カードとしての全体の厚みが厚いものに採用できる技術（公報の明細書中に、カードの厚さが４ｍｍと記載されている。）である。カード全体が薄く軟質性の材質で構成されたものでは、表面が凹凸状になりゴツゴツしてしまう。
【０００７】
また、前記磁気表示部用の窓がカードの表面の中央部に設けてあるため、非接触ＩＣモジュールにおけるＩＣチップが磁気表示部の周りに配設されることになり、磁気表示部の周りの磁気表示部内の移動可能に封入した磁性粒子を磁気作用により配列させるための磁気記録層を有したベースシートの部分も凹凸状になり、処理装置により磁気記録層に目視データの処理をする際に、目視データの処理の確実性が悪くなる危険性がある。
【０００８】
また、昨今はカード社会であり、例えばキャッシュカード、プリペイドカードやクレジットカード等を一人で何種類のカードを持っている。こうしたカードは同時に携帯され、何枚も携帯したカード中から必要とするカードを財布等から取り出す際は、カード表面に描かれた模様等から判断している。しかし、前記したような磁気表示部は有したカードにあっては、その磁気表示部がカードの長手方向に沿って平行に、カード表面の略中央部に設けてあるのが現実である。そのために、通常のカードの表面にはさまざまな模様を描いたりしてして、他のカードとの識別力を図っているが、意匠的なインパクトが略中央部に設けてある磁気表示部に目がいってしまい、カード表面のデザインによるインパクトが低いという現実問題がある。
【０００９】
また、カードの取り扱いの際に、どうしても中央部は把持しやすく、磁気表示部が破損し易いという懸念もある。
【００１０】
【特許文献１】特開昭６１−２７３７８６号公報
【特許文献２】特開平７−１７２０８４号公報
【発明の開示】
【発明が解決しようとする課題】
【００１１】
本発明は、上述した従来事情に鑑みてなされたものであり、本発明の目的とするところは、非接触ＩＣモジュールを備えたカードにおいて、カードが撓み可能な軟質性を有したものであっても、カードの表面や裏面への非接触ＩＣモジュールによる凹凸状態を低減でき、情報を可視画像として表示可能な磁気表示部を有し、その表示が確実にでき、カードの表面に施した模様やデザインを目立たせることができ、また磁気表示部が破損しにくいようにした、磁気表示部を有した非接触ＩＣカードを提供することである。
【課題を解決するための手段】
【００１２】
本発明は、
「１．ベースシート上に、貫通孔を有した中間シートを介して、少なくとも前記貫通孔に対向した部分が透明である表示シートを一体に固着し、前記ベースシートと表示シートと中間シートの貫通孔で形成された表示セルに移動可能に封入した磁性粒子を磁気作用により配列させて情報を可視画像として表示する磁気表示部を有した、非接触ＩＣモジュールを備えた非接触ＩＣカードであって、中間シートを２枚の樹脂シート部材で構成し、非接触ＩＣモジュールをホットメルト接着剤層を設けた前記２枚の樹脂シート部材で挟み込んで固着し、非接触ＩＣモジュールを中間シートの厚み方向の中部に配設するとともに、磁気表示部をカードの一方の短辺側の近傍に短辺に沿って設けたことを特徴とする、磁気表示部を有した非接触ＩＣカード。」
に関する。
【発明の効果】
【００１３】
本発明は、非接触ＩＣモジュールをカードの内部に内在しているが、中間シートを構成する樹脂シート部材に設けたホットメルト接着剤層により非接触ＩＣモジュールの厚さを吸収し、カードの表面又は裏面が凹凸状態になることがなく、磁気表示部における情報の可視画像としての表示に確実性があり、また磁気表示部をカードの一方の短辺側の近傍に短辺に沿って設けたので表面に施した模様等のデザインが目立つようになり、模様により何のカードか認識しやすくなるという利点がある。また、カードの取り扱いの際に、他方の短辺側を把持することにより可視表示手段部分に触れずに把持する事が出来るので、磁気表示部を把持して損傷してしまうという危険性を低減することができる。
【発明を実施するための最良の形態】
【００１４】
本発明における磁気表示部には表示を行う手段が備わっているが、その手段は表示セルに移動可能に封入した磁性粒子を磁気作用により配列させて表示を行うものであり、表示セルに磁性粒子をそのまま封入し、表示セルに対向したベースシートの部分に磁気記録層を配設し、該磁気記録層による磁気作用により磁気潜像に流下・吸引して表示を行う方法が有る。この場合、磁性粒子と共に微粉末の流動化剤と封入すると、磁性粒子の流動性が良くなり好ましい。磁性粒子と微粉末流動化剤との混合割合は、磁性粒子１００質量部に対し、０．１〜１０質量部の範囲で用いられる。０．１質量部未満では混合効果が少なく、また１０質量部を超過すると微粉末流動化剤それ自体の流動性が悪いので、かえって磁性粒子の流動性を損ねる傾向がある。
【００１５】
磁性粒子としては、磁界中で強い磁性を示す高透磁率のものがよく、鉄、ニッケル、ステンレススチール、パーマロイ等の金属ないし合金系磁性材料や、四三酸化鉄、ガンマ酸化鉄、マンガン亜鉛フェライト等の酸化物系ないしフェライト系磁性材料が使用できる。粒子形状は磁性粒子自体が転がりやすい粒状ないし球状が好ましい。粒径は１０ミクロンから１００ミクロンの範囲が好適である。また、磁性粒子は表面着色ないし表面処理して、それ自体の色とは異なる色に仕上げて使用することができる。
【００１６】
微粉末流動化剤としては、無水ケイ酸、ケイ酸塩、シリコンレジン、酸化アルミニウム、酸化マグネシウム、炭酸カルシウム、塩基性炭酸マグネシウム、酸化チタンの無機微粉末や、酸化錫、酸化亜鉛、ヨウ化第１銅の導電性無機微粉末を含み、磁性粒子表面、及び表示セル器壁に均一に付着して磁性粒子同士、及び磁性粒子と表示セル器壁間の付着力、及び摩擦係数を減少させる性能を有するものである。尚、微粉末流動化剤は疎水処理の如き表面処理を施したものでもよい。粒子径は０．０１〜１ミクロンのものが好ましい。
【００１７】
他の方法として、従来より知られているように、磁極を異なる色に着色して色分けした磁性粒子を、磁気記録層の磁気作用により反転させて表示を行う方法がある。表示セルに磁性粒子を分散させた分散液体を封入するものである。
【００１８】
この場合の磁性粒子は、黒色マグネタイト、γ−ヘマタイト、二酸化クロム、フェライト等の酸化物磁性材料や、コバルト、ニッケル等の合金系の金属材料等の磁性材料など適宜使用可能であり、Ｓ極面とＮ極面を異なる色で着色すれば、形状に限定されないが、偏平状ないし箔片状が、重なった状態でずれながら反転するので鮮明な表示が形成されるので好ましい。
【００１９】
分散液体は、適度の降伏値と粘度を有しているものが好ましく、分散媒と増稠剤を主成分とし、分散媒としては有機溶剤、油類等の非極性分散媒のいずれでも用いることができる。また、増稠剤は、分散液体の主に降伏値を出すために用い、アエロジル等の無機物、または脂肪酸ビスアマイド、水添ヒマシ油、Ｎ−アシルアミノ酸アマイドから選んだ有機増稠剤が使用でき、この有機増稠剤の場合は降伏値を付与するが、時間の経過とともに粘度と降伏値が変化しにくい利点があり好ましい。
【００２０】
降伏値については、分散液体中の磁性粒子が適正に分散されるためと、表示の際には磁性粒子が表面付近に保持されている必要があるので、その沈降防止に作用するものであり、また粘度は、磁気をかけたときに磁気をかけた部分のみ作用するのに重要なものである。
【００２１】
またさらに他の方法として、従来より知られているように、フレーク状の磁性粒子を配向させ表示を行う方法がある。フレーク状の磁性粒子としては、鉄、ニッケル、ステンレス鋼等の磁性材質で板状のものが使用できる。本実施の形態は、フレーク状の磁性粒子の向きを変化させ、磁気表示部内に入射した光を反射させた部分と、透過させた部分のコントラストの差を生じさせることにより記録の表示および消去をさせるものである。磁性フレークの大きさは１０〜１００μｍの範囲が好ましい。表示セルに封入する分散液体は、前述した分散液体と同様に分散媒と増稠剤を主として分散させ、フレーク状の磁性粒子が分散液体中で凝集するのを防ぐため適度の降伏値と粘度を有しているものが好ましい。
【００２２】
本発明における非接触ＩＣモジュールは、本発明において特別なものではなく、非接触ＩＣカードにおいて従来知られているものである。
【実施例】
【００２３】
以下、本発明の実施例を図面を用いて説明する。
図１〜図４に示す本実施例の磁気表示部を有した非接触ＩＣカード１は、図２に示すように、カードの基体２がベースシート３、表示シート４及び中間シート５で構成されている。非接触ＩＣカード１は、厚さが０．６ｍｍで、８５．６ｍｍ×５４．０ｍｍの大きさである。非接触ＩＣカード１の一方の短辺側１ａの近傍には、前記短辺１ａに沿って延びた情報を可視画像として表示する磁気表示部６を設けてある。
【００２４】
ベースシート３は、光反射性を有した白色のＰＥＴ樹脂で、表面（中間シート５に接する側の面）に所望の印刷が施されてある。中間シート５は、白色のＰＥＴ樹脂で構成されており、中間シート５の一方の短辺側５ａの近傍に、短辺５ａに沿って延びた貫通孔７を設けてある。表示シート４は、前記中間シート５の貫通孔７に対向した位置を透明として表示窓８とした以外は、裏面４ａ（中間シート５に接する側の面）に所望の印刷が施されて不透明としてある。
【００２５】
本実施例における磁気表示部６有した非接触ＩＣカード１は、次のようにして得た。先ず、中間シート５を、図４に示すように２枚の白色のＰＥＴ樹脂からなるシート部材９、１０で構成する。シート部材９とシート部材１０の間の貫通孔７より他方の短辺５ｂ側に寄った区域に、ＩＣチップ１１やアンテナ１２からなる非接触ＩＣモジュール１３を配置し（図１を参照）、該非接触ＩＣモジュール１３を前記シート部材９、１０で挟み、該シート部材９、１０に設けたホットメルト接着剤層１４によりシート部材９とシート部材１０を固着して、非接触ＩＣモジュール１３を内在した厚さ０．４５ｍｍの中間シート５を形成する。
【００２６】
前記中間シート５をベースシート３上に重ね、接着剤（図示せず）により一体に固着し、ベースシート３と中間シート５の貫通孔７で形成される表示セル１５に、四三酸化鉄からなる磁性粒子１６と酸化珪素の無機微粉末からなる微粉末流動化剤１７の二成分を混合し封入する。ベースシート３の表面の全面には、予め１３ミクロンのガンマ酸化鉄系磁性層からなる磁気記録層１８を塗工により設けてある。図示していないが、磁気記録層は表示セル１５に対向したベースシート３の表面部分のみに設けても良い。
【００２７】
次に、中間シート５上に、表示セル１５に表示窓８が対向するようにして表示シート４を重ね接着剤により一体に固着して、磁気表示部６を有した非接触ＩＣカード１を得た。
【産業上の利用可能性】
【００２８】
一般的な非接触ＩＣカードに適用でき、磁気情報を可視画像として表示できる磁気表示部を備えているので、例えば、ホテルの客室ドアーのカードキーに適用でき、ホテルの利用客にカードキーを渡す際に部屋番号を鉛筆やボールペン等で書き込んだ紙袋にカードキーを入れて手渡す必要がない。また、使用金額や残金等を表示可能なクレジットカードやプリペイドカードとして適用できる。
【図面の簡単な説明】
【００２９】
【図１】本実施例の非接触ＩＣカードの全体を示した正面図である。
【図２】本実施例の非接触ＩＣカードの分解斜視図である。
【図３】図１におけるＩ−Ｉ線部分を切断した状態の概略を示す、磁気表示部の部分の拡大断面図である。
【図４】本実施例の非接触ＩＣカードの中間シートにおける、概略を示す拡大断面図である。
【符号の説明】
【００３０】
１    非接触ＩＣカード
３    ベースシート
４    表示シート
５    中間シート
６    磁気表示部
１３    非接触ＩＣモジュール
１５    表示セル
１６    磁性粒子
１８    磁気記録層
【図１】
2005071168.tif 000003
【図２】
2005071168.tif 000004
【図３】
2005071168.tif 000005
【図４】
2005071168.tif 000006